(57)【要約】【課題】見込み寸法が小さく、外観の見栄えが良いブラインド付きカーテンウォールとする。【解決手段】方形枠部４を形成する縦枠材１は、その室外側部に収納凹部２０を有し、この収納凹部２０にガイド部材３０を収納して取付け、ブラインド６のブラインド羽根１２の取付部１４を、前記ガイド部材３０に沿って上下動自在に支承した室外側にブラインドを備えたブラインド付きカーテンウォール。【選択図】      図３
2004197486.tif 000002
【特許請求の範囲】
【請求項１】
縦枠材と横枠材で形成した方形枠部に面材を装着し、前記縦枠材の室外側に日除けを取付けた日除け付きカーテンウォールであって、
前記縦枠材は、その室外側部にガイド部材取付部を有し、その室内側部に面材装着部を有し、
前記ガイド部材取付部にガイド部材を、縦枠材の室外側面から突出しないように取付け、
前記日除けの複数の日除け部材を、ガイド部材に沿って昇降自在としたことを特徴とする日除け付きカーテンウォール。
【請求項２】
ガイド部材取付部は、室外側に開口した収納凹部で、この収納凹部にガイド部材を収納して取付けた請求項１記載の日除け付きカーテンウォール。
【請求項３】
縦枠材は、一対の面材装着部を有し、収納凹部に一対のガイド部材を収納して取付けた請求項２記載の日除け付きカーテンウォール。
【請求項４】
ガイド部材取付部は、縦枠材の見付け方向両側部で、その各ガイド部材取付部にそれぞれガイド部材が取付けられ、前記縦枠材は一対の面材装着部を有する請求項１記載の日除け付きカーテンウォール。
【請求項５】
ガイド部材取付部は、縦枠材の見付け方向一側部で、そのガイド部材取付部にガイド部材を取付け、
前記縦枠材は一つの面材装着部を有する請求項１記載の日除け付きカーテンウォール。
【発明の詳細な説明】
【０００１】
【発明の属する技術分野】
本発明は、カーテンウォール、詳しくは室外側にブラインド等の日除けを備えた日除け付きカーテンウォールに関する。
【０００２】
【従来の技術】
特許文献１に開示されたカーテンウォールが知られている。
このカーテンウォールは、左右に隣接した縦枠材間に横枠材を連結して方形枠材を形成し、その方形枠部にガラス、障子等の面材を取付ける。前記縦枠材の室外側部にブラインド支持ブラケットを室外側に突出して設け、このブラインド支持ブラケットの突出端部にブラインドガイドを設け、そのブラインドガイドに沿ってブラインド羽根を昇降自在に設けたブラインド付きカーテンウォールである。
【０００３】
【特許文献１】
実公昭６３−５０３９１号公報
【０００４】
【発明が解決しようとする課題】
前述のカーテンウォールは、縦枠材の室外側部よりも室外側に突出したブラインド支持ブラケットの突出端部にブラインドガイドが設けてあるので、そのブラインドガイドが縦枠材の室外側部よりも室外側に大きく離隔している。
このために、ブラインド羽根が縦枠材の室外側部よりも室外側に大きく離隔し、カーテンウォールの見込み寸法は縦枠材、ブラインド支持ブラケット、ブラインド羽根の見込み寸法の和にほぼ等しく、その見込み寸法が大きい。
また、ブラインド支持ブラケットとブラインドガイドが縦枠材の室外側部と離隔して室外側に露出しているから、そのブラインド支持ブラケットとブラインドガイドが目立ち、外観の見栄えが悪いカーテンウォールである。
【０００５】
本発明は、前述の課題に鑑みなされたものであり、その目的は、室外側に日除けを備えたカーテンウォールの見込み寸法が小さく、外観の見栄えが良い日除け付きカーテンウォールを提供することである。
【０００６】
【課題を解決するための手段】
第１の発明は、縦枠材と横枠材で形成した方形枠部に面材を装着し、前記縦枠材の室外側に日除けを取付けた日除け付きカーテンウォールであって、
前記縦枠材は、その室外側部にガイド部材取付部を有し、その室内側部に面材装着部を有し、
前記ガイド部材取付部にガイド部材を、縦枠材の室外側面から突出しないように取付け、
前記日除けの複数の日除け部材を、ガイド部材に沿って昇降自在としたことを特徴とする日除け付きカーテンウォールである。
【０００７】
第２の発明は、第１の発明においてガイド部材取付部は、室外側に開口した収納凹部で、この収納凹部にガイド部材を収納して取付けた日除け付きカーテンウォールである。
【０００８】
第３の発明は、第２の発明において縦枠材は、一対の面材装着部を有し、収納凹部に一対のガイド部材を収納して取付けた日除け付きカーテンウォールである。
【０００９】
第４の発明は、第１の発明においてガイド部材取付部は、縦枠材の見付け方向両側部で、その各ガイド部材取付部にそれぞれガイド部材が取付けられ、前記縦枠材は一対の面材装着部を有する日除け付きカーテンウォールである。
【００１０】
第５の発明は、第１の発明においてガイド部材取付部は、縦枠材の見付け方向一側部で、そのガイド部材取付部にガイド部材を取付け、
前記縦枠材は一つの面材装着部を有する日除け付きカーテンウォールである。
【００１１】
【作  用】
第１の発明によれば、縦枠材のガイド部材取付部に、縦枠材の室外側面から突出しないように取付けたガイド部材に沿って複数の日除け部材が昇降するので、室外側に日除けを備えたカーテンウォールの見込み寸法が小さい。
また、ガイド部材が縦枠材の室外側面から突出しないから、そのガイド部材が室外から見えずらく、外観の見栄えが良い。
【００１２】
第２の発明によれば、ガイド部材を収納凹部に収納して取付けしたので、そのガイド部材が室外からより見えずらく、外観の見栄えがより良い。
【００１３】
第３の発明によれば、１つの縦枠材を左右の方形枠部に兼用できると共に、左右の日除けの日除け部材を１つの縦枠材に対して昇降することができる。
【００１４】
第４の発明によれば、１つの縦部材を左右の方形枠部に兼用できると共に、左右の日除けの日除け部材を１つの縦枠材に対して昇降することができる。
【００１５】
第５の発明によれば、方形枠部に日除けを取付けた状態で建物躯体に取付けできるから、建物躯体への取付け作業が容易である。
【００１６】
【発明の実施の形態】
図１と図２に示すように、左右に隣接した縦枠材１，１と、その縦枠材１，１間に連結した上横枠材２、下横枠材３で方形枠部４を形成し、その方形枠部４に面材、例えばガラス５を装着してカーテンウォールとする。面材は障子等であっても良いし、ガラスと障子を組み合せたものでも良い。
前記縦枠材１の室外側に日除け、例えばブラインド６を昇降自在に取付け、日除け付きカーテンウォールとする。日除けとしてはシャッター、ルーバー等も利用できる。
前記縦枠材１の上部寄りが上部ファスナー７で建物躯体８に取付けてある。この縦枠材１の下部寄りが下部ファスナー９で建物躯体８に取付けてある。
【００１７】
この実施の形態では、カーテンウォールは建物躯体８を構成する上の階の床スラグ８ａと下の階の床スラブ８ｂとの間に取付け、床スラブ８ａ，８ｂが室外から目視されるようにしてある。上の階の床スラブ８ａに固着したアングル材８ｃに上部ファスナー７を固着し、下の階の床スラブ８ｂに下部ファスナー９を固着する。
これに限ることはなく、上の階の床スラブ８ａと下の階の床スラブ８ｂの室外側にカーテンウォールを取付けて床スラブ８ａ，８ｂが室外から見えないようにしても良い。
【００１８】
前記左右に隣接する縦枠材１，１間の上部と上横枠材２に亘って目隠しパネル１０が取付けてあり、この目隠しパネル１０で上部ファスナー７、アングル材８ｃ、つまり天井部分が室外から見えないようにしてある。
前記左右に隣接する縦枠材１，１間の下部と下横枠材３とに亘って水切り材１１が取付けてある。
前記ブラインド６は複数のブラインド羽根（日除け部材）１２を昇降自在とした形態で、各ブラインド羽根１２を下降することでガラス５の室外側を開放し、各ブラインド羽根１２を上昇することでガラス５の室外側を覆う。
なお、複数のブラインド羽根１２を上昇してガラス５の室外側を開放し、下降してガラス５の室外側を覆うようにしても良い。
【００１９】
前記縦枠材１は図３に示すように、その室外側部にガイド部材取付部、例えば室外側に開口した収納凹部２０を有し、室内側部に面内方向に開口した面材装着部２１をする。この収納凹部２０にガイド部材３０が収納して取付けられ、そのガイド部材３０は、縦枠材１の室外側面から突出しない。
前記ブラインド羽根１２は、羽根本体１３と取付部１４を備え、その取付部１４が羽根本体１３よりも室内側に突出している。
前記取付部１４がガイド部材３０に昇降自在に支承されている。
【００２０】
前記ガイド部材３０が縦枠材１の収納凹部２０の開口縁部（室外側面１ａ）から突出しないので、ブラインド付きカーテンウォールの見込み寸法が小さい。例えば、縦枠材１の見込み寸法とブラインド６のブラインド羽根１２の見込み寸法の和がブラインド付きカーテンウォールの見込み寸法である。
また、取付部１４は収納凹部２０内に収納して取付けたガイド部材３０に支承されるので、その取付部１４とガイド部材３０が室外から見えずらく外観が見栄え良い。
この実施の形態ではブラインド６（ブラインド羽根１２）がガイド部材３０の室外側に位置し、そのブラインド６でガイド部材３０が室外からほとんど見えないようにしてある。
これに限ることはなく、ブラインド６をガイド部材３０の見付け方向側方に位置させても良い。
【００２１】
前記縦枠材１、ガイド部材３０の具体形状を説明する。
縦枠材１は、室外側部に収納凹部２０を備えた本体２２と、この本体２２の室内側に取付けた押縁２３を備えている。前記本体２２は本体部２４の室外側面２４ａに一対の突出片２５を室外側に向けて一体的に有し、この一対の突出片２５と本体部２４の室外側面２４ａで断面略コ字形状の収納凹部２０を形成している。
前記本体２２と押縁２３が一体であっても良い。
【００２２】
前記面材装着部２１は面内方向両側にそれぞれ形成され、この縦枠材１は左右の方形枠部４で共通である。すなわち、縦枠材１は見付け方向一対の面材装着部２１を有する。
前記収納凹部２０に左右のガイド部材３０がそれぞれ収納して取付けてあり、この収納凹部２０も左右のブラインド６で共通である。
【００２３】
前記ブラインド６のブラインド羽根１２は図４に示すように、羽根本体１３と取付部１４を有し、上下に隣接する羽根本体１３が第１リンク１５で連結され、取付部１４が第２リンク１６で連結され、最上部のブラインド羽根１２を上昇すると各ブラインド羽根１２が上昇して隣接するブラインド羽根１２の上下間隔が大きくなる。最上部のブラインド羽根１２を下降すると各ブラインド羽根１２が下降すると共に、隣接するブラインド羽根１２の上下間隔が小さくなる。
前記最上部のブラインド羽根１２、例えば取付部１４に索条、例えばチェーン１７の一端部が連結され、このチェーン１７は上方に向い上部スプロケット１８ａに掛け渡しされて下方に向い、下部スプロケット１８ｂに掛け渡しされて上方に向い、その部分に駆動スプロケット１９が噛合している。
【００２４】
このようであるから、駆動スプロケット１９を駆動することでチェーン１７が上下方向に移動して最上部のブラインド羽根１２が昇降動作され、それによって前述のように各ブラインド羽根１２が昇降する。
【００２５】
前記ガイド部材３０は複数のガイド部、例えば第１・第２・第３ガイド部３１，３２，３３を有し、この第１・第２・第３ガイド部３１，３２，３３に沿ってチェーン１７が上下に移動すると共に、第２リンク１６の枢着部１６ａが第１ガイド部３１に沿って上下移動する。
具体的には、ガイド部材３０は一側部材３４と他側部材３５で室外側に開口したほぼコ字形状で、ボルト３６で収納凹部２０の底部（本体部２４の室外側面２４ａ）に取付けてある。
一対のガイド部材３０の一側部材３４が見付け方向に対向し、その各一側部材３４に第１・第２・第３ガイド部３１，３２，３３が形成してある。
これによって、チェーン１７は各ガイド部に沿ってスムーズに上下に移動すると共に、各ブラインド羽根１２は第１ガイド部３１に沿ってスムーズに上下に移動する。ガイド部材３０は一側部材３４のみとしても良い。
前記駆動スプロケット１９は縦枠材１に取付けたモータ３７で回転駆動される。例えば、突出片２５の下方位置にモータ３７を取付け、このモータ３７で駆動される軸３８を突出片２５の軸挿通部（切欠や孔）を挿通して収納凹部２０に突出し、この軸３８に駆動スプロケット１９を取付ける。
前記モータ３７は水切り材１１よりも室内側に取付けてあり、室外から見えない。
【００２６】
前記の左右のブラインド６（ブラインド羽根１２）の左右端部は縦枠材１の室外側で相対向し、その両者の間隔は小さく、その間隔から収納凹部２０、ガイド部材３０が見ずらいので、外観の見栄えが著しく向上する。
【００２７】
次に、方形枠部４の具体形状を説明する。
図５に示すように、縦枠材１の本体部２４の室内側部分（図３のあり溝を形成する一対の鉤片２４ａ）における上部寄りを切断して除去し、その残存した室内側面２４ｂと目隠しパネル１０との間にシール材２６を設ける。この目隠しパネル１０の縦縁部は上横枠材２に固着した縦材２７で支持され、下縁部は上横枠材２で支持される。
【００２８】
前記上部ファスナー７は図６と図７に示すように、アングル材８ｃにボルトで固着した一次ファスナー４０と、この１次ファスナー４０にボルト４１とナット４２で固着した２次ファスナー４３と、この２次ファスナー４３にボルト・ナット４４で固着した一対の３次ファスナー４５を備えている。
前記２次ファスナー４３は、見付け方向に向う取付用縦片４３ａと、見込み方向に向う縦片４３ｂと、この縦片４３ｂの室外側端に固着した見付け方向に向う取付片４３ｃと、前記取付用縦片４３ａの下部に固着した横片４３ｄを備えている。
前記取付用縦片４３ａが１次ファスナー４０に上下調節及び見込み方向揺動可能にボルト４１とナット４２で固着され、この取付用縦片４３ａに設けた高さ調節ボルト４６を１次ファスナー４０に当接して締込み、弛みすることで２次ファスナー４３ｂの高さ調節ができるようにしてある。
前記取付片４３ｃが縦枠材１の室内側部、例えば本体部２４の残存した室内側面２４ｂに裏板４７とボルト４８で固着してある。
前記横片４３ｄに３次ファスナー４５が見込み方向、見付け方向に位置調節自在にボルト・ナット４４で固着される。
この３次ファスナー４５が上横枠材２にボルト・ナット４９で固着される。
【００２９】
このように、上部ファスナー７で縦枠材１を建物躯体８に固着すると共に、縦枠材１と上横枠材２を連結できる。
また、上横枠材２よりも上方には押縁２５が存在せず、縦枠材１の本体部２４の室内側面２４ｂと上横枠材２が接近しているので、縦枠材１の面材装着部２１と上横枠材２の面材装着部２ａが見込み方向に同一として連続する。
【００３０】
前記縦枠材１と下横枠材３は図８と図９に示すようにファスナー５０で連結される。
縦枠材１の室内側部、例えば本体部２４の残存した室内側面２４ｂに１次ファスナー５１を裏板５２とボルト５３で固着し、この１次ファスナー５１に一対の２次ファスナー５４でボルト・ナット５５で固着し、その各２次ファスナー５４を左右の下横枠材３に裏板５６、ボルト５７でそれぞれ固着する。
【００３１】
前記下横枠材３よりも下方には押縁２３が存在せず、下横枠材３は縦枠材１の本体部２４の室内側面２４ｂに接近しているので、縦枠材１の面材装着部２１と下横枠材３の面材装着部３ａが見込み方向に同一として連続する。
【００３２】
前記下部ファスナー９は図１０に示すように、１次ファスナー６０を下の床スラブ８ｂに埋込みボルト６１、ナット６２で固着し、この１次ファスナー６０に第２ファスナー６３をボルト６４、ナット６５で固着したもので、その２次ファスナー６３が縦枠材１の室内側部、例えば本体部２４の室内側面２４ｂに裏板６６、ボルト６４で固着される。
図１０において、縦枠材１の下部に取付けたモータ３７は水切り材１１でカバーされて室外から見えない。
【００３３】
次に、第２の実施の形態を図１１に基づいて説明する。
縦枠材１の室外側寄りの見付け方向一側部をガイド部材取付部としてある。このガイド部材取付部にガイド部材３０を、縦枠材１の室外側面１ａよりも突出しないように取付けてある。この実施の形態では室外側寄りの見付け方向両側部をそれぞれガイド部材取付部としてあり、各ガイド部材取付部にガイド部材３０をそれぞれ取付けてある。一方のガイド部材３０が見付け方向一側方に位置し、他方のガイド部材３０が見付け方向他側方に位置している。
例えば、縦枠材１の本体２２は、その見込み方向中間に見付け方向一側、他側に向う一対の突出部２８を備え、この各突出部２８がガイド部材取付部である。前記各突出部２８の室外側にガイド部材３０がそれぞれ取付けてあると共に、各突出部２８の室内側と押縁２３で面材装着部２１をそれぞれ形成している。
この実施の形態では、本体２２の室内側部に一対の押縁２３がそれぞれ取付けてあるが、１つの押縁２３を取付けても良いし、押縁２３を本体２２と一体としても良い。
【００３４】
前記ガイド部材３０は、前述したガイド部材３０と同様に一側部材３４と他側部材３５でほぼコ字形状で、このガイド部材３０内にブラインド羽根１２の取付部１４が突出し、前述と同様にして上下移動自在に支承される。前記他側部材３５は化粧カバーの役目を果たし、一側部材３４が室外から見えずらくしている。また、この他側部材３５はビス３５ａを弛めることで単独で取外しできる。
【００３５】
この実施の形態では縦枠材１の室内側部（本体２２の室外側部）はブラインド６の室外側部とほぼ同一、好ましくは同一位置まで突出し、その突出部分１ｂの見付け方向両面にブラインド６が対向している。ブラインド６はガイド部材３０の室外側に位置してガイド部材３０が室外側から見えずらくしてある。
なお、ブラインド６をガイド部材３０の見付け方向側方に位置させても良い。
【００３６】
次に、本発明の第３の実施の形態を図１２に基づいて説明する。
この実施の形態は縦枠材１が１つの面材装着部２１を有すると共に、室外側寄りの見付け方向一側部をガイド部材取付部とし、このガイド部材取付部に１つのガイド部材３０を、縦枠材１の室外側面１ａよりも室外側に突出しないように取付け、左右の縦枠材１を独立したもので、ガイド部材３０の形状、取付けは第２の実施の形態と同様である。
【００３７】
このようにすれば、１つの方形枠部４にガラス５とブラインド６をあらかじめ取付け、その状態で建物躯体に取付けできるので、施工現場でのガラス取付け作業、ブラインド取付け作業が容易である。
【００３８】
例えば、本体２２は、その見込み方向中間に見付け方向一側に向う突出部２８を一体的に備え、この突出部２８がガイド部材取付部である。前記突出部２８にガイド部材３０を取付ける。
前記ガイド部材３０は方形枠部４の内側に取付けられ、左右に隣接した縦枠材１間のシール作業がやり易くしてある。
例えば、左右に隣接した縦枠材１は室内側のシーリング材２９ａと室外側のレインバリア２９ｂでシールされるので、ガイド部材３０が外側にあるとシーリング材２９ａ、レインバリア２９ｂの装着時に邪魔になることがある。
この実施の形態ではブラインド６（ブラインド羽根１２）がガイド部材３０の室外側に位置し、そのブラインド６でガイド部材３０が室外からほとんど見えないようにしてある。
これに限ることはなく、ブラインド６をガイド部材３０の見付け方向側方に位置させても良い。
【００３９】
【発明の効果】
請求項１に係る発明によれば、縦枠材のガイド部材取付部に、縦枠材の室外側面から突出しないように取付けたガイド部材に沿って複数の日除け部材が昇降するので、室外側に日除けを備えたカーテンウォールの見込み寸法が小さい。
また、ガイド部材が縦枠材の室外側面から突出しないから、そのガイド部材が室外から見えずらく、外観の見栄えが良い。
【００４０】
請求項２に係る発明によれば、ガイド部材を収納凹部に収納して取付けしたので、そのガイド部材が室外からより見えずらく、外観の見栄えがより良い。
【００４１】
請求項３に係る発明によれば、１つの縦枠材を左右の方形枠部に兼用できると共に、左右の日除けの日除け部材を１つの縦枠材に対して昇降することができる。
【００４２】
請求項４に係る発明によれば、１つの縦部材を左右の方形枠部に兼用できると共に、左右の日除けの日除け部材を１つの縦枠材に対して昇降することができる。
【００４３】
請求項５に係る発明によれば、方形枠部に日除けを取付けた状態で建物躯体に取付けできるから、建物躯体への取付け作業が容易である。
【図面の簡単な説明】
【図１】ブラインド付きカーテンウォールの一部を示す外観図である。
【図２】図１のＡ−Ａ断面図である。
【図３】縦枠材部分の詳細横断面図である。
【図４】ブラインドの説明図である。
【図５】方形枠部の斜視図である。
【図６】上部ファスナー部分の縦断面図である。
【図７】上部ファスナー部分の分解斜視図である。
【図８】縦枠材と下横枠材の連結部の縦断面図である。
【図９】縦枠材と下横枠材の連結部の分解斜視図である。
【図１０】下部ファスナー部分の縦断面図である。
【図１１】本発明の第２の実施の形態を示す縦枠材部分の横断面図である。
【図１２】本発明の第３の実施の形態を示す縦枠材部分の横断面図である。
【符号の説明】
１…縦枠材、２…上横枠材、３…下横枠材、４…方形枠部、５…ガラス（面材）、６…ブラインド（日除け）、１２…ブラインド羽根（日除け部材）、１４…取付部、２０…収納凹部（ガイド部材取付部）、２１…面材装着部、２８…突出部（ガイド部材取付部）、３０…ガイド部材。
【図１】
2004197486.tif 000003
【図２】
2004197486.tif 000004
【図３】
2004197486.tif 000005
【図４】
2004197486.tif 000006
【図５】
2004197486.tif 000007
【図６】
2004197486.tif 000008
【図７】
2004197486.tif 000009
【図８】
2004197486.tif 000010
【図９】
2004197486.tif 000011
【図１０】
2004197486.tif 000012
【図１１】
2004197486.tif 000013
【図１２】
2004197486.tif 000014